(57)【要約】      （修正有）【課題】容器の隅の部分に残存する食物の摂食を容易にして使用の便利性を確保できるスプーンを提供する。【解決手段】食物の摂取に使うスプーンであって、ヘッド部２０と取っ手３０を有し、スプーンのヘッド部２０は多角形状に構成し、ヘッド部２０が直線の辺２１を持ち各辺２１が容器の底面と壁面に隙間なく密着する。【選択図】図１
0003176583.tif 000002
【実用新案登録請求の範囲】
【請求項１】
食物を摂取するために使うスプーンで、ヘッド部と取っ手を有し、上記スプーンのヘッド部は多角形状で成り立つことを特徴とするスプーン。
【請求項２】
請求項１において、
上記多角形状のスプーン  ヘッド部は三角形、四角形、５角形および６角形の中から選択されるいずれか一つであることを特徴とするスプーン。
【請求項３】
請求項１または、請求項２において、
上記多角形状のスプーンヘッド部の各辺は直線で成り立つことを特徴とするスプーン。
【請求項４】
請求項１において、
上記スプーンヘッド部の底面は、先端から延長され所定の形状を有する平面部と、前記平面部から延長され凹んだ形態を持つ曲面部を有することを特徴とするスプーン。
【考案の詳細な説明】
【技術分野】
【０００１】
本考案は食べ物の摂取に使用されるスプーン（Ｓｐｏｏｎ）に関するもので、さらに詳細にはスプーンのヘッド部を各辺が直線状で平面になる多角形状で形成することで容器の隅の部分に残存する食べ物の摂食を容易にするスプーンに関するものである。
【背景技術】
【０００２】
一般的に食べ物を食べる時に使われるさじ、あるいはスプーンはご飯や汁類を飲む時に使われて、箸は麺類や固形物のおかずなどを一つまたは少しずつつまんで食べる時使われて、フォークは固くない食物を刺して食べたり麺を食べる時、主に使われている。
【０００３】
このような食べ物を食べる時に使われる道具の中でスプーンは東洋と西洋を問わず全てに使われたが、箸は主に東洋で使われたし、フォークは主に西洋で使われてきて東洋と西洋の食べ物文化がお互いに伝播されることにより東洋ではフォークを普遍的に使うことになった。
【０００４】
上記のような食物以外にも嗜好食品であるアイスクリームや掬って食べるヨーグルト、ジェリーなどの食物を摂食する時はスプーンを使うことになって、このようなスプーンは図４に図示された通り食物を掬い出せるように底がくぼんでいて楕円形上の外部周りを持つヘッド部（ａ）と、このヘッド部（ａ）から伸長された伸長部（ｂ）と伸長部（ｂ）の上部に結合される取っ手部（ｃ）で構成されているのだが、このような先行技術以外にも大韓民国実用新案登録第２０−０２７１４１４号（考案の名称：改良スプーン）と、大韓民国特許出願第１０−２００１−００６５１３４号（発明の名称：スプーン）及び大韓民国実用新案登録出願第２０−２００８−００００７５０号（考案の名称：食べ物用スプーン）などの技術が公示されている。
【０００５】
しかし、上記の従来技術によるスプーンは食物を掬うヘッド部の外部周りが楕円形になっていて食物を入れた容器の壁と底が連結される隅の部分に残存する食物を掬い出すことが不便な問題点が発生することになる。
【先行技術文献】
【特許文献】
【０００６】
【特許文献１】大韓民国実用新案登録第２０−０２７１４１４号（考案の名称：改良スプーン）
【特許文献２】大韓民国特許出願第１０−２００１−００６５１３４号（発明の名称：スプーン）
【特許文献３】大韓民国実用新案登録出願第２０−２００８−００００７５０号（考案の名称：食べ物用スプーン）
【考案の概要】
【考案が解決しようとする課題】
【０００７】
本考案は上記のような問題点を解決するために案出されたもので、スプーンのヘッド部を各辺が直線状で平面になる多角形状で形成することによって容器の隅の部分に残存する食物の摂食を容易にして使用の便利性を確保できるようにするスプーンを提供することを目的とする。
【課題を解決するための手段】
【０００８】
上記のような目的の下に提案された本考案は食物を摂取するために使うスプーンで、ヘッド部と取っ手を含めて上記スプーンのヘッド部は多角形状に成り立つことを特徴とする。
本考案において上記多角形状のスプーンヘッド部は三角形、四角形、５角形、６角形の中から選択されるいずれか一つであることを特徴とする。
本考案において上記多角形状のスプーンヘッド部の各辺は直線状に成り立つことを特徴とする。
本考案において上記スプーンヘッド部の底面は先端から延長され所定の形状を持つ平面部と上記平面から延長され凹んでいる曲面部を含むことを特徴とする。
【考案の効果】
【０００９】
本考案の実施例に従ったスプーンによると、スプーンのヘッド部が直線状の辺を持つ多角形状で形成されていて直線で成り立った各辺が容器の底面と壁面に隙間がなく密着して上記底面と壁面に位置する食物を残さずヘッド部に掬い出せるようにした。
また、多角形状で成り立ったヘッド部によって、容器の底面と壁面が会う隅の部分にもヘッド部の辺が接することができるようにしたことにより容器の隅の部分に残存する食物も残さずに摂食することができるようにした。
【図面の簡単な説明】
【００１０】
【図１】図１は本考案の実施例に従ったスプーンの斜視図である。
【図２】図２は本考案の実施例に従った他のスプーンの側面図である。
【図３】図３は本考案の実施例に従った他のスプーンの使用状態を例示した図である。
【図４】図４は従来技術による一般的なスプーンを例示した図である。
【考案を実施するための形態】
【００１１】
本考案は、容器の隅の部分に残存する食物の摂食を容易にして使用の便利性を確保できるようにする目的のため、スプーンのヘッド部が直面の辺を持つ多角形状で形成されていて直線で成り立った各辺が容器の底面と壁面に隙間がなく密着して上記底面と壁面に位置する食物を残さずヘッド部に掬い出せるように実現した。
【実施例１】
【００１２】
上記のような本考案によるスプーンの望ましい実施例を添付された図によって詳細に説明することにする。
【００１３】
図１は本考案の第１の実施例にともなうスプーンの斜視図で、図２は本考案の実施例ともなうスプーンの側面図である。
【００１４】
本考案の実施例にともなうスプーン（１０）は食事または、嗜好食品などの多様な食物を摂取するために使うもので、食物を掬って載せるヘッド部（２０）と使用者がスプーン（１０）を握って使えるようにする取っ手（３０）で構成される。
【００１５】
ここで、上記取っ手（３０）はスプーンを使う用途により全体を同じ材質で適用したりヘッド部（２０）と取っ手（３０）に異種の材質を適用することが望ましく、この時、取っ手（３０）の形状は手で掴みやすい凹んだ形態の把持部を持つように形成することが望ましい。  また、取っ手（２０）部分はその形態を変えたり、キャラクターなどを付着して多様な形態で形成することが可能である。
【００１６】
摂食のために食物を掬い載せる上記スプーンのヘッド部（２０）は多角形状で成り立つが、上記多角形状のスプーンヘッド部（２０）は三角形、四角形、５角形、６角形などの多様な形状での変形適用が可能である。
【００１７】
そして、上記多角形状スプーンヘッド部（２０）の外部周りを形成する各辺（２１）は全て直線で成り立ってこれに伴い、ヘッド部（２０）の各辺（２１）が容器の壁面に完全に密着することができ、それにによって容器の隅や壁面に残っている食物を残さずに掬ってヘッド部（２０）に載せられるようになる。
【００１８】
さらに、上記スプーンヘッド部（２０）の底面は先端から延長され、所定の形状を有する平面部（２２）と上記平面部（２２）から延長され、凹んだ形態を持つ曲面部（２３）を有するが、このように底面の先端から延長される平面部（２２）によって容器の底面に位置する食物を残さずヘッド部（２０）に掬い出せるようにする一方、平面部（２２）から延長された凹んだ形態の曲面部（２３）によってより一層多い量の食物をヘッド部（２０）に載せられるようになっている。
【００１９】
この場合、上記スプーンヘッド部（２０）の底面先端から延長された平面部（２２）の形状は本考案の実施例においては３角形状で例示しているが、これのように３角形状に限定されるのではなく、例えば、先端は幅が広くて後方は幅が狭い台形形態や四角形など多様な形状での変更適用が可能である。
【実施例２】
【００２０】
図３は本考案の第２実施例にともなうスプーンの使用状態を例示した図である。
【００２１】
上記図から分かるように本考案の第２実施例に従うスプーンによるとスプーンのヘッド部（２０）が直線状の辺（２１）を持つ多角形状で形成されていて平面で成り立った各辺（２１）が容器の底面と壁面に隙間なく密着して上記底面と壁面に位置する食物を残さずヘッド部（２０）に掬い載せられるようにしている。
【００２２】
また、多角形状で成り立ったヘッド部（２０）によって容器の底面と壁面が会う隅の部分にもヘッド部（２０）の辺が接することができることによって容器の隅の部分に残存する食物もまた残さず掬い出して摂食できるようにしている。
【００２３】
以上のように各実施例を通じて本考案にともなうスプーンに関して説明を行った。本明細書と図面には本考案の望ましい実施例に対し開示し、たとえ特定用語が使われたとしても、これは単に本考案の技術内容を簡単に説明して考案の理解を助けるための一般的な意味で使われたことであって、本考案の範囲を限定しようとするものではない。ここに  開示された実施例以外にも本考案の技術的思想を逸脱しない範囲内で様々な置換及び変形が可能であるということは本考案が属する技術分野の通常の知識を有する者において自明なことである。
【００２４】
例えば、前述した実施例においてはスプーンのヘッド部と取っ手を異種の材質で構成しているが、所定の長さの板材を鍛造による方法で打撃してスプーン全体を同じ材質で成型する方法もまた適用可能である。
【産業上の利用可能性】
【００２５】
本考案のスプーンは、洋の東西を問わず、食事の際の摂食洋食器として使用することができ、特に四角い形状や切り立った側面を有する容器に用いることで、隅にある食品を効率よく掬い出すことができる。また、一般成人だけではなく、乳幼児や、老人、要介護者、身体の不自由な人などにも有用である。
【符号の説明】
【００２６】
１０：スプーン
２０：ヘッド部
２１：辺
２２：直面部
２３：曲面部
３０：取っ手
【図１】
0003176583.tif 000003
【図２】
0003176583.tif 000004
【図３】
0003176583.tif 000005
【図４】
0003176583.tif 000006